(57)【要約】【課題】映像表示装置の支持脚の剛性と美観を向上させる。【解決手段】映像表示装置は、映像表示装置本体の下部に、映像表示装置本体の幅方向に一対取り付けられる支持脚と、支持脚の間に設けられる飾り取付部材と、を備えている。飾り取付部材の幅方向の両端面と支持脚とが、それぞれ映像表示装置本体の前後方向に対して傾斜した突合せ面で当接することとして映像表示装置の支持脚構造を構成した。【選択図】      図１６
2017168937.tif 000002
【特許請求の範囲】
【請求項１】
映像表示装置本体の下部に、前記映像表示装置本体の幅方向に一対取り付けられる支持脚と、
前記支持脚の間に設けられる飾り取付部材と、を備え、
前記飾り取付部材の幅方向の両端面と前記支持脚とが、それぞれ前記映像表示装置本体の前後方向に対して傾斜した突合せ面で当接する映像表示装置の支持脚構造。
【請求項２】
映像表示装置本体の下部に、前記映像表示装置本体の幅方向に一対取り付けられる支持脚と、
前記支持脚に取り付けられ、前記支持脚の間に設けられる飾り取付部材と、を備え、
前記支持脚は、横板と縦板とを組み合わせた形状を有する芯金部材と、前記芯金部材を覆う覆い部材とを有し、
更に前記映像表示装置本体の幅方向に一対取り付けられた前記支持脚は、前記支持脚が前記映像表示装置本体に組み付けられる組付部に対してそれぞれの前端の間隔が幅方向に開いた、前記映像表示装置本体から前方に延びる前脚部を備えている映像表示装置の支持脚構造。
【発明の詳細な説明】
【技術分野】
【０００１】
本発明の実施形態は、映像表示装置の支持脚構造に関する。
【背景技術】
【０００２】
テレビ等の映像表示装置は、映像表示装置本体の下部に支持脚を備え、支持脚によりテレビ台等の上面に屹立される。支持脚は、例えば、所定の強度を備えた芯金部材と、外観上の装飾性を満たした、芯金部材の周囲に取り付けられる覆い部材とで形成される。
【先行技術文献】
【特許文献】
【０００３】
【特許文献１】特開２００７−２３５６９２号公報
【特許文献２】特開２００８−２０９５２１号公報
【発明の概要】
【発明が解決しようとする課題】
【０００４】
強度を確保するため正面から見た支持脚の横幅が広くなったり、映像表示装置本体の下部に取り付けられたデコレーションとも呼ばれる飾り部材と覆い部材との合わせ個所に隙間や段差が生じるおそれがある。
【課題を解決するための手段】
【０００５】
一実施形態における映像表示装置は、映像表示装置本体の下部に、映像表示装置本体の幅方向に一対取り付けられる支持脚と、支持脚の間に設けられる飾り取付部材と、を備えている。飾り取付部材の幅方向の両端面と支持脚とは、それぞれ映像表示装置本体の前後方向に対して傾斜した突合せ面で当接される。
【図面の簡単な説明】
【０００６】
【図１】一実施形態の液晶テレビを示す正面図
【図２】同液晶テレビを示す分解斜視図
【図３】同液晶テレビを側方から示す側面図
【図４】支持脚構造を示す部分正面図
【図５】支持脚構造を示す部分断面図
【図６】支持脚を示す平面図
【図７】支持脚を示す正面図
【図８】支持脚を示す側面図
【図９】支持脚を示す分解斜視図
【図１０】支持脚の芯金部材を示す正面図
【図１１】同芯金部材を示す側面図
【図１２】同芯金部材を示す平面図
【図１３】芯金部材を展開した状態を示す平面図
【図１４】支持脚を示す部分斜視図
【図１５】固定部材を示す部分斜視図
【図１６】支持脚構造を示す部分分解斜視図
【図１７】支持脚構造を示す底面図
【図１８】支持脚構造を示す断面図
【発明を実施するための形態】
【０００７】
実施形態について、図面を用いて説明する。図１から図３に、液晶テレビ１０を示す。液晶テレビ１０は、映像表示装置の一例である。液晶テレビ１０は、映像表示装置本体としてのテレビ本体１２の下部に支持脚１４を備えている。支持脚１４は、テレビ本体１２の２か所に、左右対称に取り付けられている。液晶テレビ１０は、例えば、図４に示すようにテレビ台３２の天板Ｔ上に支持脚１４を介して載置される。
【０００８】
以下説明上、液晶テレビ１０について、テレビ本体１２を鉛直（後述する映像表示面を鉛直にした状態）に屹立させた状態で、液晶テレビ１０の映像表示面側を前方とし、その逆を後方とする。又、液晶テレビ１０を正面から見たときの左側を液晶テレビ１０の左とし、正面から見て右側を液晶テレビ１０の右とする。又、重力の方向を液晶テレビ１０の下方、その逆を上方とする。
【０００９】
図１は、液晶テレビ１０の正面図である。図２は、液晶テレビ１０の斜視図である。図３は、液晶テレビ１０の側面図である。
【００１０】
図５に示すように、テレビ本体１２は、液晶表示パネル２０と、液晶表示パネル２０を収納する筐体２２と、フレーム２４と、バックライトモジュール２６とを備えている。
【００１１】
液晶表示パネル２０は、液晶表示パネル２０の前面側に、映像を表示する映像表示面２０ａを有している。映像表示面２０ａは、筐体２２の開口部２９から液晶テレビ１０の前方に露出している。液晶表示パネル２０は、液晶層を有し、駆動機構により駆動され画像を形成する。バックライトモジュール２６は、液晶表示パネル２０の後方に設けられ、均一な光を液晶表示パネル２０に照射する。
【００１２】
フレーム２４は、液晶表示パネル２０やバックライトモジュール２６等の背面側に設けられ、液晶表示パネル２０やバックライトモジュール２６等を保持する。筐体２２は、フロントベゼル２８とバックカバー３０とを備えている。フロントベゼル２８とバックカバー３０は、液晶表示パネル２０等を前後から挟んで一体に組み付けられる。
【００１３】
テレビ本体１２の下部には、図１５にも示すように支持脚１４を固定させる固定部材３４と飾り取付部材３６（デコレーションとも言う）とが設けられている。固定部材３４は、金属製で、図１５に示すように箱型を有している。固定部材３４は、筐体２２の下壁を挟んで、テレビ本体１２のフレーム２４に取付具を介して固定されている。固定部材３４は、テレビ本体１２の左右に一対、ほぼ対称位置に取り付けられている。固定部材３４には、ボルト６０が締結されるねじ孔６６が設けられている。
【００１４】
飾り取付部材３６は、図１に示すようにテレビ本体１２の下部に取り付けられている。飾り取付部材３６は、断面がほぼ矩形で、前面に遠隔操作装置としてのリモコンの受信部６２や表示ランプ６４等が設けられている。
【００１５】
飾り取付部材３６は、左右両端に当接壁３８を備えている。当接壁３８は、請求項でいう突合せ面を形成する壁体で、基本的に平板状である。当接壁３８は、液晶テレビ１０の前後方向に対して、前端３８ａが後端３８ｂより、液晶テレビ１０の左方(図１５では、液晶テレビ１０を斜め裏側から示しているため、図１５の左斜め下方方向)に位置し、前後方向に対して所定角度傾斜している。
【００１６】
当接壁３８には、切溝３１(図１５参照)と突片３３とが設けられている。切溝３１には、後述する挿込み片４３が挿入される。突片３３は、当接壁３８の前方と上方の２か所に設けられている。飾り取付部材３６の左右の端部に、支持脚１４が設けられている。
【００１７】
図６から図８に、支持脚１４を示す。図６は、支持脚１４の平面図である。図７は、支持脚１４の正面図である。図８は、支持脚１４の左側面図である。支持脚１４は、テレビ本体１２に、左右一対、ほぼ対称に取り付けられている。左右に設けられた支持脚１４は、ほぼ対称に形成されているので、以下、図１の正面図に示すように、向かってテレビ本体１２の右側に設けられる支持脚１４を右支持脚１４ａとして、主に右支持脚１４ａについて説明し、左支持脚１４ｂについては右支持脚１４ａの説明に代える。
【００１８】
支持脚１４は、組付部４０と、前脚部４２と、後脚部４４とを有している。組付部４０は、図６の平面視で、支持脚１４の長手方向ほぼ中央に設けられている。組付部４０には、挿込み片４３とボルト孔７６とが設けられている。又、組付部４０の幅方向の左方側には、突当て壁４１が設けられている。
【００１９】
突当て壁４１は、基本的に平板状で、周囲に段部４５が形成されている。突当て壁４１は、請求項でいう突合せ面を形成する壁体である。段部４５は、突片３３に対応して形成されている。
【００２０】
突当て壁４１は、図６に示すように平面視で、突当て壁４１の前端４１ａが後端４１ｂより液晶テレビ１０の左側に位置している。すなわち、前端４１ａは、液晶テレビ１０の中央側に位置しており、突当て壁４１は、テレビ本体１２の垂直な面に対して角度α分ずれている。前端４１ａと後端４１ｂとの位置の差は、当接壁３８の前端３８ａと後端３８ｂとの位置の差と等しい。したがって、突当て壁４１は、液晶テレビ１０の前後方向に対して当接壁３８と同じ角度傾斜している。突当て壁４１には、挿込み片４３が連結部４７を介して設けられている。
【００２１】
挿込み片４３は、支持脚１４をテレビ本体１２に取り付けた際、切溝３１に挿入される形状を有している。そして、挿込み片４３が切溝３１に挿入されると、突当て壁４１(図１４参照)が当接壁３８に当接される。
【００２２】
前脚部４２は、図８に示すように支持脚１４の左方からの側面視で、組付部４０から図８において右下方、液晶テレビ１０では、前方、斜め下方に延びている。又、前脚部４２は、図６に示すように、平面視で組付部４０の前端から斜め右方に延びている。前脚部４２の下部は、図７、図８に示すように組付部４０とほぼ平行な、平板状に形成されている。前脚部４２の下部には、当てゴム６８が設けられ、当てゴム６８を介してテレビ台３２の上に載置される。
【００２３】
このようにテレビ本体１２の右側に取り付けられる支持脚１４（右支持脚１４ａ）は、前脚部４２が液晶テレビ１０の右方に延びている。一方、テレビ本体１２の左側に取り付けられる左支持脚１４（１４ｂ）は、前脚部４２が液晶テレビ１０の左方に延びている。
【００２４】
後脚部４４は、図８に示すように側面視で組付部４０から左下方、液晶テレビ１０においては、後方、斜め下方に延びている。後脚部４４は、図６に示すように、平面視で組付部４０から組付部４０の長手方向に沿ってほぼ直線状に、液晶テレビ１０においては液晶テレビ１０に対してほぼ垂直に、液晶テレビ１０の後方に延びている。後脚部４４の下部は、図７、図８に示すように組付部４０とほぼ平行な、平板状に形成されている。後脚部４４の下部には当てゴム６８が設けられ、当てゴム６８を介してテレビ台３２の上に載置される。
【００２５】
図１６に、テレビ本体１２に支持脚１４を取り付ける状態を斜視図で示す。図１６は、液晶テレビ１０を斜め後方から示しているので、図１６の右方は、図１に示す正面図での左方に相当する。支持脚１４は、挿込み片４３を切溝３１に挿し入れ、ボルト６０を固定部材３４のねじ孔６６に螺合して、テレビ本体１２に固定する。図１７に、右支持脚１４ａ及び左支持脚１４ｂを、それぞれテレビ本体１２に取り付けた状態を示す。図１７は、液晶テレビ１０の一部を示す底面図である。
【００２６】
図１７に示すように、左右の支持脚１４は、それぞれの突当て壁４１が、液晶テレビ１０の後方に広がるハの字状の状態で当接壁３８に密着する。図１８は、挿込み片４３を通る平面で突当て壁４１を破断した断面図で、挿込み片４３が切溝３１に挿し入れられた状態を示す。
【００２７】
次に、支持脚１４の構造についてより詳しく説明する。図９は、支持脚１４を分解して示す斜視図である。支持脚１４は、図９に示すように芯金部材５０と、芯金部材５０を覆う覆い部材５２とを備えている。
【００２８】
芯金部材５０は、金属製で、例えば、プレス加工により形成されている。図１３に、加工前の金属板７０を示す。金属板７０は、図に示す点線Ａに沿って折り曲げられ、又、角部等において適宜圧縮、若しくは伸展されて形成される。
【００２９】
芯金部材５０は、図１２に示すように芯金中央部５４と芯金前部５６と芯金後部５８とを有している。芯金中央部５４は、芯金部材５０の長手方向のほぼ中央部分に設けられている。芯金前部５６は、芯金中央部５４の前方に設けられている。芯金後部５８は、芯金中央部５４の後方に設けられている。
【００３０】
芯金中央部５４は、図１１に示すように、横板としての上板７２と縦板７４とを有している。芯金中央部５４は、上板７２と縦板７４とにより断面がＬ字状形状を有している。
【００３１】
芯金中央部５４の上板７２は図１２に示すように、平板状で、ボルト孔７６を２か所に備えている。ボルト孔７６は、テレビ本体１２の固定部材３４に設けられたねじ孔６６に対応して形成されている。又、上板７２には、左方に突片７３が形成されている。
【００３２】
芯金前部５６は、横板としての上板８０と、縦板８２と、横板としての下板８４とを有している。上板８０は縦板８２の上端に連結し、下板８４は縦板８２の下端に連結している。上板８０と縦板８２と下板８４とにより芯金前部５６は、側方に開いた断面コの字状形状を有している。芯金前部５６の断面コの字状形状は、金属板７０をプレス加工することにより形成されている。
【００３３】
芯金前部５６の下端部５１は、平板状で、芯金中央部５４とほぼ平行に形成されている。芯金前部５６の下端部５１には、図１２に示すように取付孔８６が設けられている。取付孔８６には、覆い部材５２のボスが通される。
【００３４】
芯金後部５８は、図１１に示すように横板としての上板９０と、縦板９２と、横板としての下板９４とを有している。上板９０は縦板９２の上端に連結し、下板９４は縦板９２の下端に連結している。上板９０と縦板９２と下板９４とにより芯金後部５８は、側方に開いた断面コの字状形状を有している。芯金後部５８の断面コの字状形状は、金属板７０をプレス加工することにより形成されている。
【００３５】
芯金後部５８の下端部５３は、平板状で、芯金中央部５４と平行に形成されている。芯金後部５８の下端部５３には、図１２に示すように取付孔８６が設けられている。取付孔８６には、覆い部材５２のボスが通される。
【００３６】
覆い部材５２は、図９に示すように芯金部材５０の上側に設けられる上側覆い部材１０２と、芯金部材５０の下側に設けられる下側覆い部材１０４とを備えている。覆い部材５２の上側覆い部材１０２と下側覆い部材１０４は、芯金部材５０の形状に沿って形成されている。覆い部材５２の上側覆い部材１０２と下側覆い部材１０４は、例えば合成樹脂材で形成されている。
【００３７】
上側覆い部材１０２は、上板１０６と上板１０６の両側に設けられる縦板１０８とを有している。上側覆い部材１０２は、上板１０６と縦板１０８とにより、芯金部材５０の上面と芯金部材５０の幅方向の左右両側面とを覆う、下側に開放されたほぼ断面コの字状に形成されている。
【００３８】
上側覆い部材１０２には、上述したように突当て壁４１と挿込み片４３が設けられ、上面に切欠き４６が形成されている。突当て壁４１は、図６に示すように、組付部４０から左側に若干突出して設けられている。
【００３９】
切欠き４６は、上側覆い部材１０２のほぼ中央に形成され、上側覆い部材１０２の表裏を貫通している。切欠き４６から、芯金部材５０のボルト孔７６が露出されている。
【００４０】
下側覆い部材１０４は、芯金部材５０を挟んで上側覆い部材１０２の外周縁に沿って組み付けられる形状を有している。上側覆い部材１０２と下側覆い部材１０４とは、芯金部材５０を挟んで上下から組み付けると、芯金部材５０の外方をほぼ完全に覆うように形成されている。
【００４１】
上側覆い部材１０２と下側覆い部材１０４と芯金部材５０とは、上側覆い部材１０２に形成されたボスを芯金部材５０の取付孔８６に通す。そして、下側覆い部材１０４を上側覆い部材１０２に組み合せ、取付ねじ８８(図９参照）をボスに螺合させて、下側覆い部材１０４と上側覆い部材１０２とを一体に組み付け固定させる。
【００４２】
又、後脚部４４には、テレビ１０から延びるケーブルをまとめる収納金具１１０と、転倒防止用のワイヤが連結される取付金具１１２が取り付けられる。
【００４３】
次に、液晶テレビ１０の支持脚１４の作用、効果について説明する。支持脚１４は、芯金部材５０を覆い部材５２で覆い、取付ねじ８８で固定して左右それぞれ一対形成する。支持脚１４の挿込み片４３を切溝３１に挿し入れ、ボルト６０で支持脚１４を固定部材３４に固定し、右支持脚１４ａと左支持脚４ｂとをテレビ本体１２の右左にそれぞれ取り付ける。
【００４４】
切溝３１は、挿込み片４３に対応して形成されているので、切溝３１内に挿込み片４３がほぼ隙間なく挿し入れられ、位置決めがなされる。そして、ボルト６０をねじ孔６６に締結することにより、支持脚１４はテレビ本体１２に強く固定される。
【００４５】
更に切溝３１内では、挿込み片４３が切溝３１内の突部１１４(図１８参照)により図１８の左方向に押圧されるので、挿込み片４３が線(もしくは点)接触により突部１１４に強く係合されるとともに突当て壁４１が当接壁３８により強く密着するように付勢される。
【００４６】
支持脚１４は、アーチ状に形成され、又、左右の支持脚１４の前脚部４２が外方に開いているので、液晶テレビ１０は、テレビ台３２の上面に安定して載置される。
【００４７】
支持脚１４は、前後方向に対して傾斜した突当て壁４１で当接壁３８に当接するので、支持脚１４と飾り取付部材３６との前後方向の位置関係が当接壁３８により決められ、前後方向のずれの発生が解消される。
【００４８】
突当て壁４１と当接壁３８との突き合せ面がテレビ本体１２の前後方向に対して傾斜しているので、仮に、支持脚１４と飾り取付部材３６との間に隙間が生じても、その隙間が液晶テレビ１０の正面から目視されにくくなる。
【００４９】
更に、突当て壁４１に形成されている段部４５と当接壁３８に設けられた突片３３とが組み付けられるので、支持脚１４と飾り取付部材３６との隙間は塞がれて隙間はより見えにくくなる。
【００５０】
挿込み片４３が切溝３１に挿入されるので、支持脚１４と飾り取付部材３６との位置合わせが容易に、かつ確実に行わせることができる。これにより支持脚１４と飾り取付部材３６との位置が正確に組み合わされ、支持脚１４と飾り取付部材３６とのずれや段差が解消され、液晶テレビ１０の美観が向上される。
【００５１】
又挿込み片４３は、上部が下部より狭い台形形状に形成されているので、切溝３１に容易に、かつ確実に挿し入れることができる。切溝３１の近傍にボルト６０のねじ孔６６が設けられているので、回転やねじれに対する抗力が強く作用し、支持脚１４と飾り取付部材３６との間で形成される隙間の増加や段差の変動が低減される。
【００５２】
芯金部材５０は、金属板７０により側方に開いたコの字状に形成されているので、支持脚１４をアーチ状に構成しても、高い剛性が得られる。これにより、芯金部材５０を細くしても十分な強度の支持脚１４が形成でき、正面から見たときの支持脚１４の横幅や厚みを薄くし、液晶テレビ１０の美観が向上される。
【００５３】
支持脚１４の芯金部材５０は、冷間圧延鋼板をプレス加工して形成されるので、容易に形成し、かつ良好な歩留りが得られるので、鋳造等の他の製造方法に比較して支持脚１４の製造の手間とコストとを低減できる。尚、芯金部材５０の製造方法は、プレス加工に限るものではない。
【００５４】
上側覆い部材１０２のボスが芯金部材５０の取付孔８６に嵌合し、又、芯金部材５０の突片７３が上側覆い部材１０２の切欠き４６の端縁にかかるので、覆い部材５２と芯金部材５０とを強く係合させることができる。
【００５５】
尚、芯金部材５０を、断面コの字状でなく、縦板と横板からなるＬ字状の断面形状に形成してもよい。又、２枚の縦板を平行に配置して、支持脚１４の前脚部もしくは後脚部を形成してもよい。更に、芯金部材５０の一部は、側方に開いた断面コの字形状でなく、下方に開いた断面コの字形状でもよい。これらは、芯金部材の耐荷重の値とテレビ本体１２の重量とに応じて適宜利用することができる。
【００５６】
又、支持脚１４は、組付部４０を含むテレビ本体１２に直交する鉛直な平面上に含まれないように、前脚部４２と後脚部４４のいずれか一方の接地部が配置されていればよい。例えば、左右の後脚部４４の間隔がテレビ本体１２の後方で左右に広がっていても、前後とも広がっていても、あるいは逆に狭められていてもよい。
【００５７】
尚、本発明は、前記実施形態に限定されるものではない。実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００５８】
以下、発明を特定するための事項について項分け記載する。
【００５９】
（１）
映像表示装置本体の下部に、前記映像表示装置本体の幅方向に一対取り付けられる支持脚と、前記支持脚の間に設けられる飾り取付部材と、を備え、前記飾り取付部材の幅方向の両端面と前記支持脚とが、それぞれ前記映像表示装置本体の前後方向に対して傾斜した突合せ面で当接する映像表示装置の支持脚構造。
【００６０】
（２）
前記飾り取付部材は、前記映像表示装置本体の下端縁に沿って、一対の前記支持脚の間に取り付けられ、前記飾り取付部材の幅方向両端に、前記支持脚に設けられた挿込み片が嵌合する切溝を備えている１に記載の映像表示装置の支持脚構造。
【００６１】
（３）
前記飾り取付部材の幅方向の両端面と前記支持脚との前記突合せ面には、互いにかみ合う段差が前記突合せ面の外周縁に沿って設けられている２に記載の映像表示装置の支持脚構造。
【００６２】
（４）
前記飾り取付部材の幅方向両側に設けられた前記突合せ面は、それぞれの前記突合せ面の後方側の間隔が、それぞれの前記突合せ面の前方側の間隔より広く形成されている３に記載の映像表示装置の支持脚構造。
【００６３】
（５）
前記支持脚は、芯金部材と前記芯金部材を覆う覆い部材とを有し、前記挿込み片は、前記覆い部材に設けられている４に記載の映像表示装置の支持脚構造。
【００６４】
（６）
前記飾り取付部材には、前記映像表示装置本体を操作する遠隔操作装置の受信部が設けられている５に記載の映像表示装置の支持脚構造。
【００６５】
（７）
１に記載の前記支持脚構造を、前記映像表示装置本体の下部に備えた映像表示装置。
【００６６】
（８）
映像表示装置本体の下部に、前記映像表示装置本体の幅方向に一対取り付けられる支持脚と、前記支持脚に取り付けられ、前記支持脚の間に設けられる飾り取付部材と、を備え、前記支持脚は、横板と縦板とを組み合わせた形状を有する芯金部材と、前記芯金部材を覆う覆い部材とを有し、更に前記映像表示装置本体の幅方向に一対取り付けられた前記支持脚は、前記支持脚が前記映像表示装置本体に組み付けられる組付部に対してそれぞれの前端の間隔が幅方向に開いた、前記映像表示装置本体から前方に延びる前脚部を備えている映像表示装置の支持脚構造。
【００６７】
（９）
前記横板は、前記縦板の上部に連結される上板と、前記縦板の下部に連結される下板であり、前記芯金部材は、前記上板と前記縦板と前記下板とにより側方に開いたコの字状の断面形状を有している８に記載の映像表示装置の支持脚構造。
【００６８】
（１０）
前記組付部は、前記支持脚を前記映像表示装置本体に固定するためのボルトを通すボルト孔を有している９に記載の映像表示装置の支持脚構造。
【００６９】
（１１）
前記支持脚は、前記組付部より下方に、前記支持脚が載置される載置面に配置される下端部が設けられている１０に記載の映像表示装置の支持脚構造。
【００７０】
（１２）
８に記載の前記支持脚構造を、前記映像表示装置本体の下部に備えた映像表示装置。
【符号の説明】
【００７１】
１０…液晶テレビ、１２…テレビ本体、１４…支持脚、２０…液晶表示パネル、２０ａ…映像表示面、２２…筐体、２４…フレーム、３１…切溝、３２…テレビ台、３３…突片、３４…固定部材、３６…飾り取付部材、３８当接壁、４０…組付部、４１…突当て壁、４２…前脚部、４３…挿込み片、４４…後脚部、４５…段部、４６…切欠き、５０…芯金部材、５２…覆い部材、７０…金属板、７２…上板、７３…突片、７４…縦板、７６…ボルト孔、８０…上板、８２…縦板、８４…下板、８６…取付孔、９０…上板、９２…縦板、９４…下板、１０２…上側覆い部材、１０４…下側覆い部材、１０６…上板、１０８…縦板、１１０…収納金具、１１２…取付金具。
【図１】
2017168937.tif 000003
【図２】
2017168937.tif 000004
【図３】
2017168937.tif 000005
【図４】
2017168937.tif 000006
【図５】
2017168937.tif 000007
【図６】
2017168937.tif 000008
【図７】
2017168937.tif 000009
【図８】
2017168937.tif 000010
【図９】
2017168937.tif 000011
【図１０】
2017168937.tif 000012
【図１１】
2017168937.tif 000013
【図１２】
2017168937.tif 000014
【図１３】
2017168937.tif 000015
【図１４】
2017168937.tif 000016
【図１５】
2017168937.tif 000017
【図１６】
2017168937.tif 000018
【図１７】
2017168937.tif 000019
【図１８】
2017168937.tif 000020